(57)【特許請求の範囲】
【請求項１】
遊技機及び紙幣受入機を複数並設して遊技機列を構成し、無端ベルトによって紙幣を挟持して搬送する紙幣搬送ユニットを複数台連設し、端部にスタッカーを設置した遊技場の島部において、当該紙幣受入機は紙幣識別部、紙幣受入部、紙幣搬送用モータ制御部、及び表示部から成り、各紙幣受入機は通信線により並列接続されシステム制御部に接続されると共に、各紙幣搬送ユニットに紙幣検出装置を設置し、該紙幣検出装置を含む電流ループを形成し、当該電流ループに、隣接する２台の紙幣識別部が接続されており、紙幣滞留を検出するとシステム制御部に送信し、システム制御部は紙幣滞留位置を表示させるとともに、当該紙幣滞留が発生した箇所より上流のユニット用モータを全部停止させ、下流のユニット用モータは作動させ、下流の紙幣をスタッカーに搬送するようにしたことを特徴とする紙幣搬送装置。
【請求項２】
前記紙幣受入機に、投入された紙幣の識別及び紙幣搬送用モータの制御を行うことが可能であるＣＰＵを設置している請求項１に記載の紙幣搬送装置。
【請求項３】
隣接する前記電流ループが同じ紙幣識別部に接続されており、上流側の紙幣検出装置が紙幣の通過を検出した後、一定時間内に下流側の紙幣検出装置が紙幣を検出しないことにより紙幣滞留の検出が可能である請求項１又は２に記載の紙幣搬送装置。
【請求項４】
前記紙幣識別部にＩＤの割付を行う入力装置を外部に設置している請求項１乃至３のいずれかに記載の紙幣搬送装置。
【発明の詳細な説明】
【０００１】
【発明の属する技術分野】
本発明は、遊技場における紙幣搬送装置に関するもので、紙幣詰まりが発生した場合に紙幣の搬送を停止すると共に、紙幣詰まり箇所を表示させるものに関する。
【０００２】
【従来の技術】
従来の遊技場における紙幣搬送装置は、紙幣受入機から送出された紙幣が紙幣受入機の出口部や搬送装置を構成する無端ベルトの途中、あるいはスタッカーの入口等において紙幣滞留が発生すると、スタッカーによって、紙幣搬送装置を構成する全モータに対し停止の指示がなされていた。
【０００３】
これを解決する手段として、紙幣滞留検出装置を設け当該紙幣滞留発生箇所より上流のモータのみを停止させる手段が考えられているが、従来のものは各モータ毎に制御器を設けてモータの制御を行っていた（特開平９−２２５１２１）。また、紙幣滞留を検出する手段としては透過型センサーを紙幣の長辺寸法より短い間隔で設けたものが知られている（特開平６−１４４６４５）。
【０００４】
【発明が解決しようとする課題】
従来の遊技場における紙幣搬送装置は、紙幣受入機から送出された紙幣が紙幣受入機の出口部や搬送装置を構成する搬送ベルトの途中、あるいはスタッカーの入口等において紙幣が詰まると、搬送装置を構成する全モータに対し停止の指示がなされていたため、当該紙幣を取り除くまでの間は全ての紙幣受入機（玉貸機又はメダル貸機）を使用することができず、顧客に迷惑を掛けると共に売上が減少するという問題があった。
【０００５】
また、紙幣滞留検出装置を設け当該紙幣滞留発生箇所より上流のモータのみを停止させる紙幣搬送装置であっても、各モータ毎にそれぞれ制御器を設けてモータの制御を行っていたため、コストが高くなると共に、保守点検が煩雑となり、保守点検時には搬送路の制御が行えないという問題があった。
【０００６】
さらに、紙幣詰まりを検出する手段として透過型センサーを紙幣の長辺寸法より短い間隔で設けていたため、紙幣搬送装置全体では多数の透過型センサーが必要となり、構造が複雑になると共に、コストが高くなるという問題があった。
【０００７】
本発明はこれらの問題点を鑑み、大幅なコストの削減を計ると共に、紙幣識別部の保守点検時にも紙幣搬送路の管理をすることが可能な遊技場における紙幣搬送装置を提供することを目的とする。
【０００８】
【課題を解決するための手段】
本発明紙幣搬送装置は、遊技機及び紙幣受入機を複数並設して遊技機列を構成し、無端ベルトによって紙幣を挟持して搬送する紙幣搬送ユニットを複数台連設し、端部にスタッカーを設置した遊技場の島部において、当該紙幣受入機は紙幣識別部、紙幣受入部、紙幣搬送用モータ制御部、及び表示部から成り、各紙幣受入機は通信線により並列接続されシステム制御部に接続されると共に、各紙幣搬送ユニットに紙幣検出装置を設置し、該紙幣検出装置を含む電流ループを形成し、当該電流ループに、隣接する２台の紙幣識別部が接続されており、紙幣滞留を検出するとシステム制御部に送信し、システム制御部は紙幣滞留位置を表示させるとともに、当該紙幣滞留が発生した箇所より上流のユニット用モータを全部停止させ、下流のユニット用モータは作動させ、下流の紙幣をスタッカーに搬送するようにしたことを特徴とする。
【０００９】
請求項２に記載した本発明の紙幣搬送装置は、前記紙幣受入機に、投入された紙幣の識別及び紙幣搬送用モータの制御を行うことが可能であるＣＰＵを設置していることを特徴とする。
【００１０】
請求項３に記載した本発明の紙幣搬送装置は、隣接する前記電流ループが同じ紙幣識別部に接続されており、上流側の紙幣検出装置が紙幣の通過を検出した後、一定時間内に下流側の紙幣検出装置が紙幣を検出しないことにより紙幣滞留の検出が可能であることを特徴とする。
【００１１】
請求項４に記載した本発明の紙幣搬送装置は、前記紙幣識別部にＩＤの割付を行う入力装置を外部に設置していことを特徴とする。
【００１２】
【発明の実施の形態】
発明の実施の形態を実施例に基づき図面を参照して説明する。図１は本発明の遊技機列における紙幣搬送装置の構成図、図２は紙幣検出装置の回路図、図３はＣＰＵの接続を示す回路図である。本発明は遊技場における紙幣搬送装置であり、遊技場は遊技機（パチンコ機又はスロット機）及び紙幣受入機１を交互に複数配列して遊技機列が構成され、この遊技機列を遊技機及び紙幣受入機１を背中合わせに２列配置して、通称「島」という管理体制を構成している。
【００１３】
図１は遊技機列における紙幣搬送装置の構成を示し、紙幣受入機１、紙幣搬送路２、スタッカー３、及びシステム制御部４により構成されている。当該紙幣受入機１は、紙幣識別部１２、紙幣受入部１４、紙幣搬送用モータ制御部１３、及び表示器１６から成っており、ＩＤの割付を行う入力装置１１が接続されている。また、当該紙幣搬送路２は、主モータ８により駆動される無端ベルト６とユニット用モータ９により駆動される複数の無端ベルト７より成り、紙幣を挟持して搬送する。紙幣搬送ユニット１０は、紙幣搬送路２を構成するユニットであり、ユニット用モータ９、無端ベルト７及び紙幣搬送用モータ制御部１３から成っており、各紙幣搬送ユニット１０には、紙幣検出装置２１が設けられている。但し、紙幣搬送路２は紙幣搬送ユニット１０毎に駆動又は停止できるものであればよく、当該構成に限定されるものではない。
【００１４】
各紙幣識別部１２はＣＰＵ１５を有し、当該ＣＰＵ１５は通信線５により並列接続され、さらにシステム制御部４に接続されている。当該ＣＰＵ１５は紙幣識別部１２と紙幣搬送用モータ制御部１３に跨って設置しており、投入された紙幣の識別及びユニット用モータ９の制御を行うことが可能である。従って、投入された紙幣の識別とユニット用モータ９の管理を、１台のＣＰＵ１５により行っている。
【００１５】
また、ＩＤの割付を行う入力装置１１により、紙幣識別部１２に上流から連続番号を付与することにより、システム制御部４は紙幣受入機１が何台構成であるか判断することができる。例えば、最上流の紙幣識別部１２から順に、１、２、・・・、ｎとＩＤの割付を行い、システム制御部４にＩＤ（ｎ＋１）を割り付けることにより、紙幣受入機１がｎ台で構成されていることが解る。
【００１６】
さらに、紙幣識別部１２にＩＤの割付を行う入力装置１１を外部に設けたことにより、入力装置１１がＩＤ情報を保持しているため、紙幣識別部１２をメンテナンス時に交換した場合にも、ＩＤを再設定する必要がない。
【００１７】
次に動作について説明すると、紙幣識別部１２は投入された紙幣が適正なものと判断すると、紙幣搬送用モータ制御部１３によりユニット用モータ９を駆動させて当該紙幣を受け入れ、各紙幣搬送ユニット１０に設置された紙幣検出装置２１によって当該紙幣の通過を検出しつつスタッカー３まで搬送する。この場合に、上流の紙幣検出装置２１により紙幣の通過が検出されてから、一定時間内に下流に設置されている次の紙幣検出装置２１により紙幣の通過が検出されない場合には、紙幣滞留の発生と判断して、紙幣識別部１２は割付けられたＩＤと伴にシステム制御部４に送信する。送信を受けたシステム制御部４は、ＩＤにより紙幣滞留発生箇所を特定でき、紙幣受入機１に設けられた表示器１６に表示させるとともに、当該紙幣滞留が発生した箇所より上流のユニット用モータ９を全部停止させる。一方、当該紙幣滞留が発生した箇所より下流のユニット用モータ９は駆動するため、下流に設置された紙幣受入機１については紙幣の受入が可能であり、玉貸機（又はメダル貸機）１７を使用することができる。
【００１８】
次に、紙幣滞留検出手段について図２に基づいて説明すると、紙幣検出装置２１は発光ダイオード２４とフォトトランジスタ２５から構成され、電流ループ２７を形成している。また、隣接する電流ループ２７は、フォトカプラ−を介して同じ紙幣識別部１２と接続されている。当該発光ダイオード２４とフォトトランジスタ２５の間に設けられたスリット２６を紙幣が通過中は、フォトトランジスタ２５がＯＦＦとなり、電流ループ２７には電流が流れない。従って、フォトカプラ２３のフォトトランジスタ２５もＯＦＦとなり、紙幣識別部１２において紙幣の通過が検出される。隣接する紙幣検出装置２１間の紙幣搬送時間（１スパン時間）は、紙幣検出装置間の距離／搬送速度により求められるから、上流側の紙幣検出装置２１において紙幣の通過を検出してから、一定時間（１スパン時間に余裕時間を加えた時間）内に下流側の紙幣検出装置２１において紙幣が検出されないときは、紙幣滞留が発生していると判断できる。また、上流側の紙幣検出装置２１が紙幣の通過を検出した場合は、下流の紙幣識別部１２において紙幣の送出を一時停止させ、当該紙幣の通過を待って紙幣の受入を行うことにより、相互の紙幣の衝突による紙幣滞留の発生を予防することができる。紙幣検出装置２１は、当該実施例の構成に限定されるものではなく、他の光学的、磁気的、機械的検出装置等何れを用いてもよい。
【００１９】
また、電流ループ２７は、フォトカプラ２３を介して２台の紙幣識別部１２と接続されている。したがって、メンテナンス等のために一方の紙幣識別部１２を取り外した状態の場合にも、他の紙幣識別部１２には接続されているため、当該紙幣識別部１２が紙幣の検出をシステム制御部４に送信することにより、紙幣搬送状態の管理を行うことができる。
【００２０】
さらに、各紙幣識別部１２とシステム制御部４とを結ぶ通信方式に、ポーリング／セレクティング方式を採用することにより、システム制御部４は各紙幣識別部１２の状態を確認し、メンテナンス等により一部の紙幣識別部１２が取り外されている場合に、当該紙幣識別部１２からの応答が無いことから、取り外されていることが解る。また、他の紙幣識別部１２も通信を傍受することにより、当該紙幣識別部１２が取り外されていることが解り、他の紙幣識別部１２により紙幣の搬送状態を管理することができる。
【００２１】
例えば、図１において、紙幣識別部ＢＶ３をメンテナンスにより撤去した場合に、紙幣検出装置ＡＣＴ２が紙幣通過を検出すると、紙幣識別部ＢＶ２が紙幣の検出を発信するので、紙幣識別部ＢＶ４は紙幣識別部ＢＶ２より紙幣識別部ＢＶ４までの２スパン時間の後にＡＣＴ４に到達することが解る。従って、２スパン時間経過後にＡＣＴ４が紙幣を検出しない場合は、紙幣滞留が発生していることが解り、ＢＶ４は割付けられたＩＤと伴にシステム制御部４に送信する。
【００２２】
図３はＣＰＵの接続を示し、通信線は耐雑音性能に優れていることから、ツイストペア線を用いることが好ましいが、これに限定されるものではない。
【００２３】
【発明の効果】
本発明紙幣搬送装置は、以上の構成より、以下の効果を奏する。請求項１に於いて、従来のように、紙幣搬送装置を構成している全部の紙幣搬送用モータに、モータを制御する制御器を設置したのに比し、本発明のように、システム制御部によりモータ制御を行わせることにより、各紙幣搬送用モータ毎に制御器を設ける必要がなく、明らかにコストの低減を計ることができる。
【００２４】
また、紙幣搬送装置において紙幣滞留が発生した場合に、当該紙幣滞留発生箇所より上流のユニット用モータのみを停止させることから、当該紙幣滞留発生箇所よりスタッカー寄りの玉貸機又はメダル貸機については使用できるため、顧客に掛ける迷惑を最小限に止めると共に売上の減少も防ぐことができる。
さらに、１つの電流ループに２台の紙幣識別部を接続したことにより、メンテナンス等のために一方の紙幣識別部を取り外した場合にも、他の紙幣識別部を介して紙幣の搬送状態を管理できる。また、当該電流ループ内の紙幣搬送路を紙幣が通過中の場合に、下流の紙幣識別部において紙幣の送出を一時停止させることにより、紙幣滞留の発生を予防することができる。従って、玉貸機又はメダル貸機を停止することが減少し、顧客に迷惑を掛けることが減ると共に売上の減少も防ぐことができる。
【００２５】
請求項２に於いて、紙幣受入機に設置した１台のＣＰＵに、紙幣識別機能とユニット用モータの制御機能を持たせたことにより、それぞれに制御器を設ける必要がなく、明らかにコストの低減を計ることができる。
【００２６】
請求項３に於いて、一定時間内に隣接する紙幣検出装置間を紙幣が通過しないことにより紙幣滞留を検出できるため、各紙幣搬送ユニット毎に１セットの紙幣検出装置を設けることで、各ユニット用モータを制御することが可能となる。よって、従来のように、紙幣の長辺寸法より短い間隔で紙幣検出装置を設置する必要がなく、構造が簡素化できると共に、コストの低減を計ることができる。
【００２７】
請求項４に於いて、紙幣識別部にＩＤの割付を行う入力装置を外部に設置したことにより、紙幣識別部を交換した場合にも、入力装置がＩＤ情報を保持しているため、再設定する必要がなく、保守管理が容易となる。
【図面の簡単な説明】
【図１】本発明遊技場における紙幣搬送装置の構成図である。
【図２】本発明紙幣検出装置の回路図である。
【図３】本発明ＣＰＵの接続を示す回路図である。
【符号の説明】
１  紙幣受入機
２  紙幣搬送路
３  スタッカー
４  システム制御部
５  通信線
６  無端ベルト
７  無端ベルト
８  主モータ
９  ユニット用モータ
１０  紙幣搬送ユニット
１１  入力装置
１２  紙幣識別部
１３  紙幣搬送用モータ制御部
１４  紙幣受入部
１５  ＣＰＵ
１６  表示器
１７  玉貸機（又はメダル貸機）
２１  紙幣検出装置
２３  フォトカプラ
２４  発光ダイオード
２５  フォトトランジスタ
２６  スリット
２７  電流ループ
【図１】
0003604642.tif 000002
【図２】
0003604642.tif 000003
【図３】
0003604642.tif 000004